(57)【要約】【課題】  安定したサーボ制御を可能とするためのディフェクト信号を生成するディフェクト信号生成回路及び光ディスク再生装置を提供する。【解決手段】  光ディスク再生装置に、記憶媒体から読み出したRF信号に基づいてピークホールド信号を生成するピークホールド信号生成回路と、ピークホールド信号に基づいて中間信号を生成する中間信号生成回路と、中間信号に基づいて閾値信号を生成する信号レベル調整回路と、閾値信号の信号レベルを調整する閾値信号調整回路と、ピークホールド信号と閾値信号とに基づいてディフェクト信号を生成する比較回路とを有し、閾値信号調整回路は、閾値信号の信号レベルを高める第1調整回路と、閾値信号の信号レベルを低める第2調整回路との少なくともいずれか一方を有するディフェクト信号生成回路を設けた。【選択図】図5
2005267836.tif 000002
【特許請求の範囲】
【請求項１】
記憶媒体から読み出したRF信号のピークをホールドすることによってピークホールド信号を生成するピークホールド信号生成回路と、
前記ピークホールド信号生成回路よりも時定数の長いピークホールド回路であって前記RF信号のピークをホールドすることにより中間信号を生成する中間信号生成回路と、
前記中間信号の信号レベルをシフトさせることによって閾値信号を生成する信号レベル調整回路と、
前記閾値信号の信号レベルを調整する閾値信号調整回路と、
前記ピークホールド信号と前記閾値信号とを比較することによってディフェクト信号を生成する比較回路とを有し、
前記閾値信号調整回路は、前記ピークホールド信号の信号レベルと前記閾値信号の信号レベルとが反転したことにより、前記ピークホールド信号の信号レベルが前記閾値信号の信号レベルよりも低くなった場合に、前記閾値信号の信号レベルを調整して、前記信号レベルを調整しない場合よりも高める第1調整回路と、前記ピークホールド信号の信号レベルが前記閾値信号よりも高くなった場合に、前記閾値信号の信号レベルを調整して、信号レベルを調整しない場合よりも低める第2調整回路との少なくともいずれか一方を有することを特徴とするディフェクト信号生成回路。
【請求項２】
前記閾値信号調整回路は、前記ピークホールド信号の信号レベルと前記閾値信号の信号レベルとが反転した時点の前記閾値信号の信号レベルを保持する調整を行うことを特徴とする請求項1に記載のディフェクト信号生成回路。
【請求項３】
前記第1調整回路は、前記ピークホールド信号の信号レベルと前記閾値信号の信号レベルとが反転したことにより、前記ピークホールド信号の信号レベルが前記閾値信号の信号レベルよりも低くなった時点の第1の閾値信号の信号レベルより前記閾値信号の信号レベルを高めることを特徴とする請求項1に記載のディフェクト信号生成回路。
【請求項４】
前記第1調整回路は、前記閾値信号の信号レベルの上限を設定する第1リミッタ回路を有することを特徴とする請求項3に記載のディフェクト信号生成回路。
【請求項５】
前記第2調整回路は、前記ピークホールド信号の信号レベルと前記閾値信号の信号レベルとが反転したことにより、前記ピークホールド信号の信号レベルが前記閾値信号の信号レベルよりも高くなった時点の第2の閾値信号の信号レベルより前記閾値信号の信号レベルを低めることを特徴とする請求項1に記載のディフェクト信号生成回路。
【請求項６】
前記第2調整回路は、前記閾値信号の信号レベルの下限を設定する第2リミッタ回路を有することを特徴とする請求項5に記載のディフェクト信号生成回路。
【請求項７】
前記閾値信号調整回路は、前記閾値信号の信号レベルを調整した後に、再度前記ピークホールド信号の信号レベルと前記閾値信号の信号レベルとが反転した場合に、前記閾値信号の信号レベルの調整を停止することを特徴とする請求項1〜6のいずれか1項に記載のディフェクト信号生成回路。
【請求項８】
前記閾値信号調整回路は、前記閾値信号の信号レベルを調整した後に、所定時間が経過した場合に、前記閾値信号の信号レベルの調整を停止することを特徴とする請求項1〜7のいずれか1項に記載のディフェクト信号生成回路。
【請求項９】
記憶媒体から読み出したRF信号のピークをホールドすることによってピークホールド信号を生成するピークホールド信号生成回路と、
前記ピークホールド信号生成回路よりも時定数の長いピークホールド回路であって前記RF信号のピークをホールドすることにより中間信号を生成する中間信号生成回路と、
前記中間信号の信号レベルをシフトさせることによって閾値信号を生成する信号レベル調整回路と、
前記閾値信号の信号レベルを調整する閾値信号調整回路と、
前記ピークホールド信号と前記閾値信号とを比較することによってディフェクト信号を生成する比較回路とを有し、
前記閾値信号調整回路は、前記ピークホールド信号の信号レベルと前記閾値信号の信号レベルとが反転したことにより、前記ピークホールド信号の信号レベルが前記閾値信号の信号レベルよりも低くなった場合に、前記閾値信号の信号レベルを調整して、前記信号レベルを調整しない場合よりも高める第1調整回路と、前記ピークホールド信号の信号レベルが前記閾値信号よりも高くなった場合に、前記閾値信号の信号レベルを調整して、信号レベルを調整しない場合よりも低める第2調整回路との少なくともいずれか一方を有するディフェクト信号生成回路を有することを特徴とする光ディスク再生装置。
【発明の詳細な説明】
【技術分野】
【０００１】
本発明は、ディフェクト信号生成回路及び同回路を有する光ディスク再生装置に関するものである。
【背景技術】
【０００２】
近年、大量のデータを記録することができる大容量の記録媒体として、光ディスクが広く用いられている。
【０００３】
この光ディスクに記録されたデータは、光ディスク再生装置を用いて再生していた。
【０００４】
そして、光ディスク再生装置は、まず光ディスクに読み取り用の光を照射し、その反射光から光ピックアップを用いてRF信号を生成し、このRF信号に基づいて入力信号を生成した後、この入力信号を信号処理回路で処理することによって光ディスクに記録させたデータを再生していた。
【０００５】
このとき、光ディスク上にキズや汚れ等などがあった場合は、光ディスクからの光の反射量が著しく小さくなる暗欠陥や、光ディスクからの光の反射量が著しく大きくなる明欠陥が発生することがあり、この暗欠陥や明欠陥に起因してデータを正確に再生できないことがあった。
【０００６】
そのため、光ディスク再生装置は、光ディスク上の欠陥を示すディフェクト信号を生成するディフェクト信号生成回路を有しており、このディフェクト信号に基づいて光ピックアップのフォーカス制御やトラッキング制御等のサーボ制御を行うことによりデータを正確に再生するようにしていた（たとえば、特許文献１参照。）。
【０００７】
このディフェクト信号生成回路100は、図9に示すように、ピークホールド回路101と、暗欠陥検出回路102と、明欠陥検出回路103と、論理和演算回路104とから構成していた。
【０００８】
そして、暗欠陥検出回路102は、暗欠陥用ピークホールド回路105と、暗欠陥用レベル調整回路106と、暗欠陥用比較回路107とから構成していた。
【０００９】
また、明欠陥検出回路103は、明欠陥用ピークホールド回路108と、明欠陥用レベル調整回路109と、明欠陥用比較回路110とから構成していた。
【００１０】
このように構成したディフェクト信号生成回路100では、図9、図10に示すように、ピークホールド回路101は、入力信号S100に対する信号追従性が早い回路構成となっており、入力信号S100とほぼ同時に変化するピークホールド信号S101を出力するようになっている。
【００１１】
一方、暗欠陥用及び明欠陥用ピークホールド回路105、108は、ピークホールド回路101よりも時定数が長く信号追従性の遅い回路構成となっており、ピークホールド信号S101よりも緩慢に変動する暗欠陥用中間信号S102及び明欠陥用中間信号S103を出力するようになっている。
【００１２】
また、暗欠陥用レベル調整回路106は、暗欠陥用中間信号S102の信号レベルが暗欠陥発生部以外でピークホールド信号S101の信号レベルよりも低くなるようにレベル調整した暗欠陥用閾値信号S104を生成する。
【００１３】
一方、明欠陥用レベル調整回路109は、明欠陥用中間信号S103の信号レベルが明欠陥発生部以外でピークホールド信号S101の信号レベルよりも高くなるようにレベル調整した明欠陥用閾値信号S105を生成する。
【００１４】
また、暗欠陥用比較回路107は、ピークホールド信号S101の信号レベルが暗欠陥用閾値信号S104の信号レベルよりも低い場合に、「H」レベルとなる暗ディフェクト信号S106を出力する。
【００１５】
一方、明欠陥用比較回路110は、ピークホールド信号S101の信号レベルが明欠陥用閾値信号S105の信号レベルよりも高い場合に、「H」レベルの明ディフェクト信号S107を出力する。
【００１６】
また、論理和演算回路104は、暗ディフェクト信号S106と明ディフェクト信号S107とのOR論理和を取ることによって、暗欠陥及び明欠陥を検出している間「H」レベルとなるディフェクト信号S108を出力する。
【００１７】
そして、光ピックアップは、このディフェクト信号生成回路100が出力するディフェクト信号S108が「H」レベルの間サーボの動作を停止したサーボホールド状態なる。
【００１８】
その後、ディフェクト信号S108が再び「L」レベルとなったときに、サーボホールド状態を解除することによって暗欠陥や明欠陥等の光ディスク上の欠陥に対処していた。
【００１９】
つまり、光ディスク再生装置は、図10及び図11（a）（b）に示すように、ディフェクト信号S108を生成する際に、入力信号S100に対する信号追従性が早いピークホールド信号S101と、このピークホールド信号S101よりも信号追従性の遅い暗欠陥用閾値信号S104及び明欠陥用閾値信号S105とを比較することによってディフェクト信号S108を生成していた。
（たとえば、特許文献１参照。）
【特許文献１】特開２０００−９０４４６号公報
【発明の開示】
【発明が解決しようとする課題】
【００２０】
このように、上記従来のディフェクト信号生成回路100を有する光ディスク再生装置では、図10及び図11（a）（b）に示すように、ディフェクト信号S108を生成する際に、入力信号S100に対する信号追従性が早いピークホールド信号S101と、このピークホールド信号よりも信号追従性の遅い暗欠陥用閾値信号S104及び明欠陥用閾値信号S105とを比較することによってディフェクト信号S108を生成していた。
【００２１】
そのため、図11（a）に示すように、暗欠陥発生中において暗欠陥用閾値信号S104（図11（a）中の実線）の信号レベルは、ピークホールド信号S101（図11（a）中の一点鎖線）の信号レベルの降下から遅れて徐々に降下した後、まだ暗欠陥発生中を示している部分のピークホールド信号S101の信号レベルと等しくなってしまう。
【００２２】
つまり、まだ暗欠陥が継続しているにもかかわらず、ピークホールド信号S101の信号レベルが暗欠陥用閾値信号S104の信号レベルよりも高くなるため、ディフェクト信号S108を「H」レベルから「L」レベルへ変更してしまう場合があった。
【００２３】
また、明欠陥発生中においても、図11（b）に示すように、明欠陥閾値信号S105（図11（b）中の実線）の信号レベルは、ピークホールド信号S101（図11（b）中の一点鎖線）の信号レベルの上昇から遅れて徐々に上昇した後、まだ明欠陥発生中を示している部分のピークホールド信号S101の信号レベルと等しくなってしまう。
【００２４】
つまり、まだ明欠陥が継続しているにもかかわらず、ピークホールド信号S101の信号レベルが明欠陥用閾値信号S105の信号レベルよりも低くなるため、ディフェクト信号S108を「H」レベルから「L」レベルへ変更してしまう場合があった。
【００２５】
このように、暗欠陥及び明欠陥がまだしばらくの間継続しているにもかかわらずディフェクト信号S108を「H」レベルから「L」レベルへ変更してしまうと、暗欠陥及び明欠陥発生時の誤った入力信号S100に基づいてサーボ制御を行うこととなる。
【００２６】
これにより、サーボホールド状態を解除した際に、サーボを安定して制御することができず、正確にデータを再生できないおそれがあった。
【課題を解決するための手段】
【００２７】
そこで、請求項1に係る本発明では、記憶媒体から読み出したRF信号のピークをホールドすることによってピークホールド信号を生成するピークホールド信号生成回路と、ピークホールド信号生成回路よりも時定数の長いピークホールド回路であって前記RF信号のピークをホールドすることにより中間信号を生成する中間信号生成回路と、中間信号の信号レベルをシフトさせることによって閾値信号を生成する信号レベル調整回路と、閾値信号の信号レベルを調整する閾値信号調整回路と、ピークホールド信号と閾値信号とを比較することによってディフェクト信号を生成する比較回路とを有し、閾値信号調整回路は、ピークホールド信号の信号レベルと閾値信号の信号レベルとが反転したことにより、ピークホールド信号の信号レベルが閾値信号の信号レベルよりも低くなった場合に、閾値信号の信号レベルを調整して、信号レベルを調整しない場合よりも高める第1調整回路と、ピークホールド信号の信号レベルが前記閾値信号よりも高くなった場合に、閾値信号の信号レベルを調整して、信号レベルを調整しない場合よりも低める第2調整回路との少なくともいずれか一方を有することとした。
【００２８】
また、請求項2に係る本発明では、閾値信号調整回路は、ピークホールド信号の信号レベルと閾値信号の信号レベルとが反転した時点の閾値信号の信号レベルを保持する調整を行うこととした。
【００２９】
また、請求項3に係る本発明では、第1調整回路は、ピークホールド信号の信号レベルと閾値信号の信号レベルとが反転したことにより、ピークホールド信号の信号レベルが閾値信号の信号レベルよりも低くなった時点の第1の閾値信号の信号レベルより閾値信号の信号レベルを高めることとした。
【００３０】
また、請求項4に係る本発明では、第1調整回路は、閾値信号の信号レベルの上限を設定する第1リミッタ回路を有することとした。
【００３１】
また、請求項5に係る本発明では、第2調整回路は、ピークホールド信号の信号レベルと閾値信号の信号レベルとが反転したことにより、ピークホールド信号の信号レベルが閾値信号の信号レベルよりも高くなった時点の第2の閾値信号の信号レベルより閾値信号の信号レベルを低めることとした。
【００３２】
また、請求項6に係る本発明では、第2調整回路は、閾値信号の信号レベルの下限を設定する第2リミッタ回路を有することとした。
【００３３】
また、請求項7に係る本発明では、閾値信号調整回路は、閾値信号の信号レベルを調整した後に、再度ピークホールド信号の信号レベルと閾値信号の信号レベルとが反転した場合に、閾値信号の信号レベルの調整を停止することとした。
【００３４】
また、請求項8に係る本発明では、閾値信号調整回路は、閾値信号の信号レベルを調整した後に、所定時間が経過した場合に、閾値信号の信号レベルの調整を停止することとした。
【００３５】
また、請求項9に係る本発明では、記憶媒体から読み出したRF信号のピークをホールドすることによってピークホールド信号を生成するピークホールド信号生成回路と、ピークホールド信号生成回路よりも時定数の長いピークホールド回路であってRF信号のピークをホールドすることにより中間信号を生成する中間信号生成回路と、中間信号の信号レベルをシフトさせることによって閾値信号を生成する信号レベル調整回路と、閾値信号の信号レベルを調整する閾値信号調整回路と、ピークホールド信号と閾値信号とを比較することによってディフェクト信号を生成する比較回路とを有し、閾値信号調整回路は、ピークホールド信号の信号レベルと閾値信号の信号レベルとが反転したことにより、ピークホールド信号の信号レベルが閾値信号の信号レベルよりも低くなった場合に、閾値信号の信号レベルを調整して、信号レベルを調整しない場合よりも高める第1調整回路と、ピークホールド信号の信号レベルが閾値信号よりも高くなった場合に、閾値信号の信号レベルを調整して、信号レベルを調整しない場合よりも低める第2調整回路との少なくともいずれか一方を有するディフェクト信号生成回路を有する光ディスク再生装置とした。
【発明の効果】
【００３６】
本発明では、以下に記載するような効果を奏する。
【００３７】
請求項1に係る本発明では、記憶媒体から読み出したRF信号のピークをホールドすることによってピークホールド信号を生成するピークホールド信号生成回路と、ピークホールド信号生成回路よりも時定数の長いピークホールド回路であって前記RF信号のピークをホールドすることにより中間信号を生成する中間信号生成回路と、中間信号の信号レベルをシフトさせることによって閾値信号を生成する信号レベル調整回路と、閾値信号の信号レベルを調整する閾値信号調整回路と、ピークホールド信号と閾値信号とを比較することによってディフェクト信号を生成する比較回路とを有し、閾値信号調整回路は、ピークホールド信号の信号レベルと閾値信号の信号レベルとが反転したことにより、ピークホールド信号の信号レベルが閾値信号の信号レベルよりも低くなった場合に、閾値信号の信号レベルを調整して、信号レベルを調整しない場合よりも高める第1調整回路と、ピークホールド信号の信号レベルが前記閾値信号よりも高くなった場合に、閾値信号の信号レベルを調整して、信号レベルを調整しない場合よりも低める第2調整回路との少なくともいずれか一方を有することとしたため、サーボホールド状態を解除した際に、サーボを安定して制御することができる。
【００３８】
また、請求項2に係る本発明では、閾値信号調整回路は、ピークホールド信号の信号レベルと閾値信号の信号レベルとが反転した時点の閾値信号の信号レベルを保持する調整を行うこととしたため、サーボホールド状態を解除した際に、サーボを安定して制御することができる。
【００３９】
また、請求項3に係る本発明では、第1調整回路は、ピークホールド信号の信号レベルと閾値信号の信号レベルとが反転したことにより、ピークホールド信号の信号レベルが閾値信号の信号レベルよりも低くなった時点の第1の閾値信号の信号レベルより閾値信号の信号レベルを高めることとしたため、暗欠陥に起因したサーボホールド状態を解除した際に、サーボを安定して制御することができる。
【００４０】
また、請求項4に係る本発明では、第1調整回路は、閾値信号の信号レベルの上限を設定する第1リミッタ回路を有することとしたため、長時間継続する暗欠陥が発生しても、この暗欠陥に起因したサーボホールド状態を解除した際に、サーボを安定して制御することができる。
【００４１】
また、請求項5に係る本発明では、第2調整回路は、ピークホールド信号の信号レベルと閾値信号の信号レベルとが反転したことにより、ピークホールド信号の信号レベルが閾値信号の信号レベルよりも高くなった時点の第2の閾値信号の信号レベルより閾値信号の信号レベルを低めることとしたため、明欠陥に起因したサーボホールド状態を解除した際に、サーボを安定して制御することができる。
【００４２】
また、請求項6に係る本発明では、第2調整回路は、閾値信号の信号レベルの下限を設定する第2リミッタ回路を有することとしたため、長時間継続する明欠陥が発生しても、この明欠陥に起因したサーボホールド状態を解除した際に、サーボを安定して制御することができる。
【００４３】
また、請求項7に係る本発明では、閾値信号調整回路は、閾値信号の信号レベルを調整した後に、再度ピークホールド信号の信号レベルと閾値信号の信号レベルとが反転した場合に、閾値信号の信号レベルの調整を停止することとしたため、サーボホールド状態を解除した際に、サーボを安定して制御することができる。
【００４４】
また、請求項8に係る本発明では、閾値信号調整回路は、閾値信号の信号レベルを調整した後に、所定時間が経過した場合に、閾値信号の信号レベルの調整を停止することとしたため、光ディスク上の欠陥の誤検出等のために長時間にわたりサーボホールド状態が発生してしまうことを未然に防止することができる。
【００４５】
また、請求項9に係る本発明では、記憶媒体から読み出したRF信号のピークをホールドすることによってピークホールド信号を生成するピークホールド信号生成回路と、ピークホールド信号生成回路よりも時定数の長いピークホールド回路であってRF信号のピークをホールドすることにより中間信号を生成する中間信号生成回路と、中間信号の信号レベルをシフトさせることによって閾値信号を生成する信号レベル調整回路と、閾値信号の信号レベルを調整する閾値信号調整回路と、ピークホールド信号と閾値信号とを比較することによってディフェクト信号を生成する比較回路とを有し、閾値信号調整回路は、ピークホールド信号の信号レベルと閾値信号の信号レベルとが反転したことにより、ピークホールド信号の信号レベルが閾値信号の信号レベルよりも低くなった場合に、閾値信号の信号レベルを調整して、信号レベルを調整しない場合よりも高める第1調整回路と、ピークホールド信号の信号レベルが閾値信号よりも高くなった場合に、閾値信号の信号レベルを調整して、信号レベルを調整しない場合よりも低める第2調整回路との少なくともいずれか一方を有するディフェクト信号生成回路を有する光ディスク再生装置としたため、サーボホールド状態を解除した際に、サーボを安定して制御することができるので光ディスクに記録させたデータを正確に再生することができる。
【発明を実施するための最良の形態】
【００４６】
本発明に係るディフェクト信号生成回路を内蔵した光ディスク再生装置は、光ディスクからアナログデータ信号を読み出す光ピックアップと、このアナログデータ信号からサーボ制御用RF信号を生成するRF信号生成回路と、このRF信号をアナログ/ディジタル変換するアナログ/ディジタル変換器と、このアナログ/ディジタル変換したRF信号から光ディスク上の欠陥を検出してディフェクト信号を生成するディフェクト信号生成回路と、このディフェクト信号に基づいてサーボ制御を行うサーボ制御回路とを有している。
【００４７】
また、ディフェクト信号生成回路は、記憶媒体から読み出したRF信号のピークをホールドすることによってピークホールド信号を生成するピークホールド信号生成回路と、ピークホールド信号生成回路よりも時定数の長いピークホールド回路であってRF信号のピークをホールドすることにより中間信号を生成する中間信号生成回路と、この中間信号の急峻な変化を緩和させたローパス中間信号を生成するフィルタ回路と、ローパス中間信号の信号レベルをピークホールド信号の信号レベルと異なるようにシフトさせた閾値信号を生成する信号レベル調整回路と、ピークホールド信号と閾値信号とを比較することによってディフェクト信号を生成する比較回路とを備えている。
【００４８】
さらに、このディフェクト信号生成回路は、ローパス中間信号の信号レベルを調整することによって閾値信号の信号レベルを調整する閾値信号調整回路を備えている。
【００４９】
この閾値信号調整回路は、ピークホールド信号の信号レベルと閾値信号の信号レベルとが反転したことにより、ピークホールド信号の信号レベルが閾値信号の信号レベルよりも低くなった場合に、閾値信号の信号レベルを調整して、閾値信号の信号レベルを調整しない場合よりも高める第1調整回路と、ピークホールド信号の信号レベルが前記閾値信号よりも高くなった場合に、閾値信号の信号レベルを調整して、閾値信号の信号レベルを調整しない場合よりも低める第2調整回路との少なくともいずれか一方を有している。
【００５０】
そのため、光ディスク上に存在する欠陥に起因して、異常に低い信号レベルのピークホールド信号が欠陥検出回路に入力されている期間に、第1調整回路により閾値信号のレベルを調整することによって、この第1調整回路による信号レベルの調整を行わない場合の閾値信号よりも高い信号レベルの閾値信号を生成するようにしてる。
【００５１】
これにより、上記異常に低い信号レベルのピークホールド信号の入力が終了した後、正常な信号レベルに戻る近傍の信号レベルとほぼ等しい信号レベルの閾値信号を生成することができるので、光ディスク上の欠陥検出に起因したサーボホールド状態を解除した際に、サーボを安定して制御することができる。
【００５２】
また、光ディスク上に存在する欠陥に起因して、異常に高い信号レベルのピークホールド信号が欠陥検出回路に入力されている期間に、第2調整回路により閾値信号のレベルを調整することによって、この第2調整回路による信号レベルの調整を行わない場合の閾値信号よりも低い信号レベルの閾値信号を生成するようにしている。
【００５３】
これにより、上記異常に高い信号レベルのピークホールド信号の入力が終了した後、正常な信号レベルに戻る近傍の信号レベルとほぼ等しい信号レベルの閾値信号を生成することができるので、光ディスク上の欠陥検出に起因したサーボホールド状態を解除した際に、サーボを安定して制御することができる。
【００５４】
このように閾値信号の信号レベルを調整する閾値信号調整回路は、第1調整回路と第2調整回路とを、ピークホールド信号の信号レベルと閾値信号の信号レベルとが反転した時点の閾値信号の信号レベルを保持する信号レベル保持回路により構成することができる。
【００５５】
この信号レベル保持回路は、フィルタ回路の入力側にスイッチ回路を設け、このスイッチ回路にフィルタ回路が出力するローパス中間信号と、中間信号生成回路が出力する中間信号とを入力して、閾値信号に基づいてローパス中間信号と中間信号のいずれか一方の信号をフィルタ回路に入力するように構成する。
【００５６】
この信号レベル保持回路により閾値信号調整回路を構成した場合には、ピークホールド信号の信号レベルと閾値信号の信号レベルとが反転した場合に、スイッチ回路によりローパス中間信号をフィルタ回路に入力することで、ピークホールド信号の信号レベルと閾値信号の信号レベルとが反転した時点の閾値信号の信号レベルを保持して、ピークホールド信号の信号レベルと閾値信号の信号レベルとが反転している期間、つまり、ディフェクト信号生成回路が光ディスク上の欠陥を検出している期間は、閾値信号の信号レベルがピークホールド信号の信号レベルの変化に追従して変化することなく常に一定に保つようにしている。
【００５７】
こうすることによって、ピークホールド信号の信号レベルと閾値信号の信号レベルとが反転したことにより、ピークホールド信号の信号レベルが閾値信号の信号レベルよりも低くなった場合には、閾値信号の信号レベルを保持して、閾値信号の信号レベルを調整しない場合よりも高め、ピークホールド信号の信号レベルが閾値信号よりも高くなった場合にも、閾値信号の信号レベルを保持して、閾値信号の信号レベルを調整しない場合よりも低めることができ、異常な信号レベルのピークホールド信号が正常な信号レベルに戻る近傍の信号レベルとほぼ等しい信号レベルの閾値信号を生成することができるので、光ディスク上の欠陥検出に起因したサーボホールド状態を解除した際に、サーボを安定して制御することができる。
【００５８】
そして、サーボ制御回路は、閾値信号調整回路が閾値信号の調整を行っている期間、つまり、信号レベル保持回路が閾値信号の信号レベルを保持している期間では、サーボの動作を停止させてサーボホールド状態にするサーボ制御を行うようにしている。
【００５９】
また、閾値信号調整回路は、ピークホールド信号の信号レベルと閾値信号の信号レベルとが反転したことにより、ピークホールド信号の信号レベルが閾値信号の信号レベルよりも低くなった時点の第1の閾値信号の信号レベルより閾値信号の信号レベルを高める第1調整回路と、ピークホールド信号の信号レベルと閾値信号の信号レベルとが反転したことにより、ピークホールド信号の信号レベルが閾値信号の信号レベルよりも高くなった時点の第2の閾値信号の信号レベルより閾値信号の信号レベルを低める第2調整回路とによって構成したことによって、サーボホールド状態を解除した際に、サーボをより一層安定して制御することができる。
【００６０】
第1調整回路は、上記信号レベル保持回路に、ローパス中間信号の信号レベルを高める第1ゲイン調整回路を設け、この第1ゲイン調整回路により信号レベルを高めたローパス中間信号をスイッチ回路に入力するようにしている。
【００６１】
また、第2調整回路は、上記信号レベル保持回路に、ローパス中間信号の信号レベルを低める第2ゲイン調整回路を設け、この第2ゲイン調整回路により信号レベルを低めたローパス中間信号をスイッチ回路に入力するようにしている。
【００６２】
こうすることにより、ピークホールド信号の信号レベルと閾値信号の信号レベルとが反転したことにより、ピークホールド信号の信号レベルが閾値信号の信号レベルよりも低くなった場合には、ピークホールド信号の信号レベルと閾値信号の信号レベルとが反転時点から閾値信号の信号レベルを徐々に高めていくことができる。
【００６３】
また、ピークホールド信号の信号レベルと閾値信号の信号レベルとが反転したことにより、ピークホールド信号の信号レベルが閾値信号の信号レベルよりも高くなった場合には、ピークホールド信号の信号レベルと閾値信号の信号レベルとが反転時点から閾値信号の信号レベルを徐々に低めていくことができる。
【００６４】
そのため、異常に低い、もしくは異常に高い信号レベルのピークホールド信号の入力が終了した後、ピークホールド信号の信号レベルが正常に戻る近傍の信号レベルとほぼ等しい信号レベルの閾値信号を生成することができ、光ディスク上の欠陥検出に起因したサーボホールド状態を解除した際に、サーボをより一層安定して制御することができる。
【００６５】
また、第1ゲイン調整回路を備えた第1調整回路には、閾値信号の信号レベルの上限を設定する第1リミッタ回路を設け、第2ゲイン調整回路を備えた第2調整回路には、閾値信号の下限を設定する第2リミッタ回路を設けることが望ましい。
【００６６】
このように、第1リミッタ回路を設けることによって、長時間異常に低い信号レベルのピークホールド信号が欠陥検出回路に入力された場合であっても、閾値信号の信号レベルが正常なピークホールド信号の信号レベルよりも高くなることがないため、常に最適な閾値信号を生成することができる。
【００６７】
また、第2リミッタ回路を設けることによって、長時間異常に高い信号レベルのピークホールド信号が欠陥検出回路に入力された場合であっても、閾値信号の信号レベルが正常なピークホールド信号の信号レベルよりも低くなることがないため、常に最適な閾値信号を生成することができる。
【００６８】
また、閾値信号調整回路は、閾値信号の信号レベルを調整した後に、再度ピークホールド信号の信号レベルと閾値信号の信号レベルとが反転した場合に、閾値信号の信号レベルの調整を停止するようにしている。
【００６９】
そのため、ピークホールド信号の信号レベルと閾値信号の信号レベルとは、ピークホールド信号が欠陥の発生を示す部分の終端付近で反転することとなる。
【００７０】
これにより、ディフェクト信号生成回路は、光ディスク上の欠陥を検出しなくなるのとほぼ同時にサーボホールド状態を解除するディフェクト信号をサーボ制御回路に入力することができる。
【００７１】
そのため、サーボホールド状態を解除した際に、サーボを安定して制御することができ、光ディスクに記録させたデータを正確に再生することができる。
【００７２】
また、この閾値信号調整回路は、上記のように閾値信号の信号レベルを調整してから所定時間が経過した後に、スイッチ回路を切換えることによっても閾値信号の信号レベルの調整を停止することができるようにしている。
【００７３】
このようにすることによって、光ディスク上の欠陥の誤検出等のために、長時間にわたりサーボホールド状態が発生してしまうことを未然に防止することができる。
【００７４】
また、ディフェクト信号を生成する際に用いる閾値信号は、フィルタ回路の処理により中間信号の低周波成分を用いて生成している。
【００７５】
こうすることによって、スイッチ回路が切り替わる際に、閾値信号の信号レベルが急峻に変化することを未然に防止することができるようにしている。
【００７６】
以下に、本発明に係るディフェクト信号生成回路を内蔵した光ディスク再生装置について図面を参照しながら具体的に説明する。
【００７７】
光ディスク再生装置1は、図1に示すように、光ピックアップ2と、RFアンプ3と、サーボ制御用及び欠陥検出用アナログ/ディジタル変換器（以下、「DAC」という。）4、5と、ディフェクト信号生成回路6と、サーボ制御回路7とを有している。図1中の8は光ディスクである。
【００７８】
光ピックアップ2は、光ディスク8にデータ読み取り用の光を照射し、この光の反射量に応じたアナログデータ信号S1を生成してRFアンプ3に入力する。
【００７９】
RFアンプ3は、光ピックアップ2から入力されたアナログデータ信号S1を増幅させることによりRF（Radio Frequency）増幅信号S2を生成してサーボ制御用DAC4及び欠陥検出用DAC5に入力する
サーボ制御用DAC4は、RFアンプから入力されたRF増幅信号S2をアナログ/ディジタル変換したRF信号S3を生成してサーボ制御回路7に入力する。
【００８０】
欠陥検出用DAC5は、RFアンプ3から入力されたRF増幅信号S2をアナログ/ディジタル変換したRF信号S3を生成してディフェクト信号生成回路6に入力する。
【００８１】
ディフェクト信号生成回路6は、欠陥検出用DAC5から入力されたRF信号S3に基づいて光ディスク8上の欠陥を検出している間アクティブ状態（以下、『「H」レベル』という。）となり、欠陥を検出していない間非アクティブ状態（以下『「L」レベル』という。）となるディフェクト信号S4を生成してサーボ制御回路7に入力する。
【００８２】
サーボ制御回路７は、サーボ制御用DAC4から入力されるRF信号S3と、ディフェクト信号生成回路6から入力されるディフェクト信号S4とに基づいて光ピックアップ2のサーボ制御を行うためのサーボ制御信号S5を光ピックアップ2に出力する。
【００８３】
このサーボ制御回路7は、「L」レベルのディフェクト信号S4が入力されている期間では、通常のサーボ制御を行うためのサーボ制御信号S5を光ピックアップ2に出力する一方、「H」レベルのディフェクト信号S4が入力されている期間では、RF信号S3の低域成分のみを抽出することにより生成した一定の駆動信号であるサーボ制御信号S5を光ピックアップ2に出力することにより、サーボをホールド状態にするように構成している。
【００８４】
以下に、本実施の形態に係る光ディスク再生装置に内蔵しているディフェクト信号生成回路と、サーボ制御回路について、図2〜図8を参照しながら、さらに具体的に説明する。
【００８５】
（第1実施形態）
第1実施形態では、閾値信号の信号レベルを調整する閾値信号調整回路を第1調整回路と第2調整回路とにより構成し、この第1調整回路として、ピークホールド信号の信号レベルと閾値信号の信号レベルとが反転した時点の閾値信号の信号レベルを保持する暗欠陥用信号レベル保持回路を用い、第2調整回路として、明欠陥用信号レベル保持回路を用いた場合を例に挙げて説明する。
【００８６】
ディフェクト信号生成回路6は、図2に示すように、ピークホールド回路9と、中間信号生成回路10と、暗欠陥検出回路11と、明欠陥検出回路12と、論理和演算回路13とから構成している。
【００８７】
暗欠陥検出回路11は、データを再生する際に、光ディスク8上にゴミや汚れ等が付着していることによって光ピックアップ2が読み取る光の反射量が著しく小さくなる暗欠陥を検出するための回路である。
【００８８】
そして、この暗欠陥検出回路11は、暗欠陥用スイッチ回路14と暗欠陥用フィルタ回路15とから成る第1調整回路（以下、「暗欠陥用信号レベル保持回路16」という。）と、暗欠陥用レベル調整回路17と、暗欠陥用比較回路18とから構成している。
【００８９】
また、明欠陥検出回路12は、データ記録時に光ディスク8上に付着していたゴミや汚れがデータ再生時に取れたことによって、光ピックアップ2が読み取る光の反射量が著しく大きくなる明欠陥を検出するための回路である。
【００９０】
そして、この明欠陥検出回路12は、明欠陥用スイッチ回路19と明欠陥用フィルタ回路20とから成る第2調整回路（以下、「明欠陥用信号レベル保持回路21」という。）と、明欠陥用レベル調整回路22と、明欠陥用比較回路23とから構成している。
【００９１】
このように構成したディフェクト信号生成回路6は、以下のようにしてディフェクト信号S4を生成する。
【００９２】
まず、欠陥検出用DAC5から入力されるRF信号S3は、ピークホールド回路9に入力される。
【００９３】
このピークホールド回路9は、入力信号であるRF信号S3に対する信号追従性が早い回路構成としており、欠陥検出用DAC5から入力されたRF信号S3のピークの変化を敏感にホールドしたピークホールド信号S6を生成して中間信号生成回路10に入力すると共に、暗欠陥用比較回路18と、明欠陥用比較回路23とに入力する。
【００９４】
中間信号生成回路10は、ピークホールド回路9よりも時定数が長く信号追従性の遅い回路構成としており、ピークホールド回路9から入力されたピークホールド信号S6に基づいて中間信号S7を生成し、暗欠陥用信号レベル保持回路16と明欠陥用信号レベル保持回路21とに入力する。
【００９５】
この中間信号S7は、ピークホールド信号S6のピークをホールドすることによって、間接的にRF信号S3のピークをホールドした信号となっており、図3に示すように、ピークホールド信号S6から遅れて変化する信号である。
【００９６】
この中間信号S７を生成する際に、本実施の形態では、ピークホールド回路9を用いてRF信号S3からピークホールド信号S6を生成した後、中間信号生成回路10を用いてピークホールド信号S6から中間信号S7を生成することによって、間接的にRF信号S3のピークをホールドした中間信号S7を生成するようにしているが、暗欠陥検出回路11と明欠陥検出回路12の各入力側に中間信号生成回路10を設け、この中間信号生成回路10にRF信号S3を直接入力することによって直接的にRF信号S3のピークをホールドした中間信号S7を生成するようにしてもよい。
【００９７】
暗欠陥用信号レベル保持回路16では、暗欠陥を検出していない場合、暗欠陥用スイッチ回路14により中間信号S7を暗欠陥用フィルタ回路15に入力し、一方、暗欠陥を検出している場合、暗欠陥用スイッチ回路14により、後述する暗欠陥用ローパス中間信号S8をそのまま暗欠陥用フィルタ回路15に再度入力するようにしている。
【００９８】
暗欠陥用フィルタ回路15は、中間信号S7の高周波成分を除去することによって信号レベルの大きな変化を低減させた暗欠陥用ローパス中間信号S8を生成して暗欠陥用レベル調整回路17に入力する。
【００９９】
このとき同時に、暗欠陥用ローパス中間信号S8をフィードバックして暗欠陥用スイッチ回路14に入力する。
【０１００】
暗欠陥用レベル調整回路17は、暗欠陥用フィルタ回路15から入力された暗欠陥用ローパス中間信号S8の信号レベルをピークホールド信号S6の信号レベルよりも低くなるように調整した暗欠陥用閾値信号S9（図3参照）を生成して暗欠陥用比較回路18に入力する。
【０１０１】
暗欠陥用比較回路18は、ピークホールド信号S6の信号レベルと、暗欠陥用閾値信号S9の信号レベルとを比較して、ピークホールド信号S6の信号レベルと暗欠陥用閾値信号S9の信号レベルとが反転している期間「H」レベルとなる暗ディフェクト信号S10を生成して論理和演算回路13に入力する。
【０１０２】
このとき、暗欠陥用比較回路18は、暗ディフェクト信号S10をフィードバックして暗欠陥用スイッチ回路14に入力する。
【０１０３】
そして、暗欠陥用スイッチ回路14は、このとき入力される暗欠陥用ディフェクト信号に基づいて、暗欠陥用フィルタ回路15に入力する信号の切換えを行うようにしている。
【０１０４】
つまり、暗欠陥用スイッチ回路14は、暗欠陥の検出を開始した時点、すなわち、ピークホールド信号S6の信号レベルと暗欠陥用閾値信号S9の信号レベルとが反転することによって暗ディフェクト信号S10が「L」レベルから「H」レベルに切り替わった時点で、暗欠陥用フィルタ回路15に入力する信号を、中間信号S7から暗欠陥用ローパス中間信号S8に切り
替えるようにしている。
【０１０５】
これにより、暗欠陥用フィルタ回路15の出力信号である暗欠陥用ローパス中間信号S8がそのまま暗欠陥用フィルタ回路15に再度入力されることになり、暗欠陥用レベル調整回路17に常に暗欠陥用ローパス中間信号S8が入力され続け、その結果、暗欠陥用レベル調整回路17の出力信号である暗欠陥用閾値信号S9の信号レベルが保持される。
【０１０６】
こうすることによって、暗欠陥検出回路11が暗欠陥を検出するのとほぼ同時に暗欠陥用閾値信号S9の信号レベルを保持できるようにしている。
【０１０７】
一方、暗欠陥用スイッチ回路14は、暗欠陥の検出を終了した時点、すなわち、ピークホールド信号S6の信号レベルと暗欠陥用閾値信号S9の信号レベルとが再度反転することによって暗ディフェクト信号S10が「H」レベルから「L」レベルに切換わった時点で、暗欠陥用フィルタ回路15に入力する信号を、暗欠陥用ローパス中間信号S8から中間信号S7に切換えるようにしている。
【０１０８】
これにより、暗欠陥用フィルタ回路15に中間信号S7が入力され、この中間信号S7に基づいて暗欠陥用閾値信号S9の信号レベルが変化することになり、その結果、暗欠陥用閾値信号S9の信号レベルの保持が停止される。
【０１０９】
こうすることによって、暗欠陥検出回路11が暗欠陥の検出を終えるのとほぼ同時に暗欠陥用閾値信号S9の信号レベルの保持を停止するようにしている。
【０１１０】
また、この暗欠陥検出回路11には、暗欠陥用比較回路18と暗欠陥用スイッチ回路14との間に暗欠陥用パルス幅制限回路24を設けており、この暗欠陥用パルス幅制限回路によっても暗欠陥用閾値信号S9の信号レベルの保持を停止するようにしている。
【０１１１】
具体的には、暗欠陥用比較回路18から暗欠陥用パルス幅制限回路24に暗ディフェクト信号S10を入力する。
【０１１２】
ここで、暗欠陥用パルス幅制限回路24は、暗ディフェクト信号S10の「H」レベルが継続している時間であるパルス幅を予め設定しておき、暗ディフェクト信号S10のパルス幅がこの予め設定しておいたパルス幅をこえた場合に、パルス幅を制限する。
【０１１３】
そして、この暗欠陥用パルス幅制限回路24でパルス幅を制限した暗ディフェクト信号S10を暗欠陥用スイッチ回路14に入力する。
【０１１４】
その後、暗欠陥用スイッチ回路14は、暗欠陥用パルス幅制限回路24から入力される暗ディフェクト信号S10が「H」レベルから「L」レベルに切換わった時点で、暗欠陥用フィルタ回路15に入力する信号を暗欠陥用ローパス中間信号S8から中間信号S7に切換えることにより、暗欠陥用閾値信号S9の信号レベルの保持を停止する。
【０１１５】
次に、明欠陥用信号レベル保持回路について説明する。
【０１１６】
明欠陥用信号レベル保持回路21では、明欠陥を検出していない場合、明欠陥用スイッチ回路19により中間信号S7を明欠陥用フィルタ回路20に入力し、一方、明欠陥を検出している場合、明欠陥用スイッチ回路19により、後述する明欠陥用ローパス中間信号S11をそのまま明欠陥用フィルタ回路20に再度入力するようにしている。
【０１１７】
明欠陥用フィルタ回路20は、中間信号S7の高周波成分を除去することによって信号レベルの大きな変化を低減させた明欠陥用ローパス中間信号S11を生成して明欠陥用レベル調整回路22に入力する。
【０１１８】
このとき同時に、明欠陥用ローパス中間信号S11をフィードバックして明欠陥用スイッチ回路19に入力する。
【０１１９】
明欠陥用レベル調整回路22は、明欠陥用フィルタ回路20から入力された明欠陥用ローパス中間信号S11の信号レベルをピークホールド信号S6の信号レベルよりも高くなるように調整した明欠陥用閾値信号S12（図3参照）を生成して明欠陥用比較回路23に入力する。
【０１２０】
明欠陥用比較回路23は、ピークホールド信号S6の信号レベルと、明欠陥用閾値信号S12の信号レベルとを比較して、ピークホールド信号S6の信号レベルと明欠陥用閾値信号S12の信号レベルとが反転している期間「H」レベルとなる明ディフェクト信号S13を生成して論理和演算回路13に入力する。
【０１２１】
このとき、明欠陥用比較回路23は、明ディフェクト信号S13をフィードバックして明欠陥用スイッチ回路19に入力する。
【０１２２】
そして、明欠陥用スイッチ回路19は、このとき入力される明ディフェクト信号S13に基づいて、明欠陥用フィルタ回路20に入力する信号の切換えを行うようにしている。
【０１２３】
つまり、明欠陥用スイッチ回路19は、明欠陥の検出を開始した時点、すなわち、ピークホールド信号S6の信号レベルと明欠陥用閾値信号S12の信号レベルとが反転することによって明ディフェクト信号S13が「L」レベルから「H」レベルに切り替わった時点で、明欠陥用フィルタ回路20に入力する信号を、中間信号S7から明欠陥用ローパス中間信号S11に
切り替えるようにしている。
【０１２４】
これにより、明欠陥用フィルタ回路20の出力信号である明欠陥用ローパス中間信号S11がそのまま明欠陥用フィルタ回路20に再度入力されることになり、明欠陥用レベル調整回路22に常に明欠陥用ローパス中間信号S11が入力され続け、その結果、明欠陥用レベル調整回路22の出力信号である明欠陥用閾値信号S12の信号レベルが保持される。
【０１２５】
こうすることによって、明欠陥検出回路12が明欠陥を検出するのとほぼ同時に明欠陥用閾値信号S12の信号レベルを保持できるようにしている。
【０１２６】
一方、明欠陥用スイッチ回路19は、明欠陥の検出を終了した時点、すなわち、ピークホールド信号S6の信号レベルと明欠陥用閾値信号S12の信号レベルとが再度反転することによって明ディフェクト信号S13が「H」レベルから「L」レベルに切換わった時点で、明欠陥用フィルタ回路20に入力する信号を、明欠陥用ローパス中間信号S11から中間信号S7に切換えるようにしている。
【０１２７】
これにより、明欠陥用フィルタ回路20に中間信号S7が入力され、この中間信号S7に基づいて明欠陥用閾値信号S12の信号レベルが変化することになり、その結果、明欠陥用閾値信号S12の信号レベルの保持が停止される。
【０１２８】
こうすることによって、明欠陥検出回路12が明欠陥の検出を終えるのとほぼ同時に明欠陥用閾値信号S12の信号レベルの保持を停止するようにしている。
【０１２９】
また、この明欠陥検出回路12には、明欠陥用比較回路23と明欠陥用スイッチ回路19との間に明欠陥用パルス幅制限回路25を設けており、この明欠陥用パルス幅制限回路によっても明欠陥用閾値信号S12の信号レベルの保持を停止することができるようにしている。
【０１３０】
具体的には、明欠陥用比較回路23から明欠陥用パルス幅制限回路25に明ディフェクト信号S13を入力する。
【０１３１】
ここで、明欠陥用パルス幅制限回路25は、明ディフェクト信号S13の「H」レベルが継続している時間であるパルス幅を予め設定しておき、明ディフェクト信号S13のパルス幅がこの予め設定しておいたパルス幅をこえた場合に、パルス幅を制限する。
【０１３２】
そして、この明欠陥用パルス幅制限回路25でパルス幅を制限した明ディフェクト信号S13を明欠陥用スイッチ回路19に入力する。
【０１３３】
その後、明欠陥用スイッチ回路19は、明欠陥用パルス幅制限回路25から入力される明ディフェクト信号S13が「H」レベルから「L」レベルに切換わった時点で、明欠陥用フィルタ回路20に入力する信号を明欠陥用ローパス中間信号S11から中間信号S7に切換えることにより、明欠陥用閾値信号S12の信号レベルの保持を停止する。
【０１３４】
次に論理輪演算回路13について説明する。
【０１３５】
論理和演算回路13は、暗欠陥検出回路11から入力される暗ディフェクト信号S10と、明欠陥検出回路12から入力される明ディフェクト信号S13とのOR論理和を取ることによって、暗欠陥及び明欠陥を検出している間「H」レベルとなるディフェクト信号S4（図3参照）を生成してサーボ制御回路7に出力する。
【０１３６】
サーボ制御回路7は、論理和演算回路13から入力されたディフェクト信号S4が「H」レベルの間、光ピックアップ2のサーボの動作を停止させるサーボ制御信号S5を光ピックアップ2に出力して光ピックアップ2をサーボホールド状態とし、その後、ディフェクト信号S4が再び「L」レベルとなったときに、サーボホールド状態を解除するサーボ制御信号S5を光ピックアップ2に出力して、光ピックアップ2のサーボの動作を再開させる。
【０１３７】
このように、第1実施形態のディフェクト信号生成回路6を内蔵した光ディスク再生装置1は、光ディスク8上の欠陥を示すRF信号S3が入力されて、ピークホールド信号S6の信号レベルと、暗欠陥用閾値信号S9又は明欠陥用閾値信号S12のいずれか1つの信号レベルとが反転した場合に、信号レベルが反転した方の閾値信号の信号レベルを保持するようにしている。
【０１３８】
そして、この閾値信号の信号レベルを保持した後に、再度ピークホールド信号S6の信号レベルと、この閾値信号の信号レベルとが反転した場合に、信号レベルの保持を停止するようにしている。
【０１３９】
このようにすることによって、ピークホールド信号S6の信号レベルと閾値信号の信号レベルとが反転している期間、つまり、ディフェクト信号生成回路6が光ディスク8上の欠陥を検出している期間は、閾値信号の信号レベルがピークホールド信号S6の信号レベルの変化に追従して変化することなく常に一定に保たれる。
【０１４０】
そのため、暗欠陥の検出時には、図4（a）に示すように、ピークホールド信号S6（図4（a）中の点線）の信号レベルと暗欠陥用閾値信号S9（図4（a）中の実線）の信号レベルとは、ピークホールド信号S6が暗欠陥の発生を示す部分の終端付近で反転することとなり、図4（a）中に一点鎖線で示す従来の暗欠陥用閾値信号のように、ピークホールド信号S6の信号レベルと暗欠陥用閾値信号とが暗欠陥の終端よりも前で反転することがなくなる。
【０１４１】
また、明欠陥の検出時には、図4（b）に示すように、ピークホールド信号S6（図4（b）中の点線）の信号レベルと明欠陥用閾値信号S12（図（b）中の実線）の信号レベルとは、ピークホールド信号S6が明欠陥の発生を示す部分の終端付近で反転することとなり、図4（b）中に一点鎖線で示す従来の明欠陥用閾値信号のように、ピークホールド信号S6の信号レベルと明欠陥用閾値信号とが明欠陥の終端よりも前で反転することがなくなる。
【０１４２】
これにより、ディフェクト信号生成回路6は、光ディスク8上の暗欠陥及び明欠陥を検出しなくなるのとほぼ同時にサーボホールド状態を解除するディフェクト信号S4をサーボ制御回路7に入力することができる。
【０１４３】
そのため、サーボホールド状態を解除した際に、サーボを安定して制御することができ、光ディスク8に記録させたデータを正確に再生することができる。
【０１４４】
（第2実施形態）
第2実施形態では、閾値信号の信号レベルを調整する閾値信号調整回路として第1調整回路と第2調整回路とを備え、第1調整回路として、ピークホールド信号の信号レベルと閾値信号の信号レベルとが反転したことにより、ピークホールド信号の信号レベルが閾値信号の信号レベルよりも低くなった時点の第1の閾値信号の信号レベルより閾値信号の信号レベルを高めるレベル加算回路を用いるとともに、第2調整回路として、ピークホールド信号の信号レベルと閾値信号の信号レベルとが反転したことにより、ピークホールド信号の信号レベルが閾値信号の信号レベルよりも高くなった時点の第2の閾値信号の信号レベルより閾値信号の信号レベルを低めるレベル減算回路を用いた場合を例に挙げて説明する。
【０１４５】
なお、以下の説明では、図2に示すディフェクト信号生成回路6と同一の構成要素に関しては、同様の符号を付してその説明を省略する。
【０１４６】
図5に示すディフェクト信号生成回路6’は、図2に示すディフェクト信号生成回路6と同様に、ピークホールド回路9と、中間信号生成回路10と、暗欠陥検出回路11と、明欠陥検出回路12と、論理和演算回路13とから構成している。
【０１４７】
そして、この暗欠陥検出回路11は、暗欠陥用スイッチ回路14と暗欠陥用フィルタ回路15と、第1ゲイン調整回路26と、第1リミッタ回路27とから成る第1調整回路（以下、「レベル加算回路28」という。）と、暗欠陥用レベル調整回路17と、暗欠陥用比較回路18とから構成している。
【０１４８】
また、この明欠陥検出回路12は、明欠陥用スイッチ回路19と明欠陥用フィルタ回路20と、第2ゲイン調整回路29と、第2リミッタ回路30とから成る第2調整回路（以下、「レベル減算回路31」という。）と、明欠陥用レベル調整回路22と、明欠陥用比較回路23とから構成している。
【０１４９】
このように構成したディフェクト信号生成回路6’は、以下のようにしてディフェクト信号S4を生成する。
【０１５０】
まず、欠陥検出用DAC5から入力されるRF信号S3は、ピークホールド回路9に入力される。
【０１５１】
このピークホールド回路9は、欠陥検出用DAC5から入力されたRF信号S3のピークの変化を敏感にホールドしたピークホールド信号S6を生成して中間信号生成回路10に入力すると共に、暗欠陥用比較回路18と、明欠陥用比較回路23とに入力する。
【０１５２】
中間信号生成回路10は、ピークホールド回路9から入力されたピークホールド信号S6に基づいて中間信号S7を生成し、レベル加算回路28とレベル減算回路31とに入力する。
【０１５３】
この中間信号S7は、ピークホールド信号S6のピークをホールドすることによって、間接的にRF信号S3のピークをホールドした信号となっており、図6に示すように、ピークホールド信号S6から遅れて変化する信号である。
【０１５４】
レベル加算回路28では、暗欠陥を検出していない場合、暗欠陥用スイッチ回路14により中間信号S7を暗欠陥用フィルタ回路15に入力し、一方、暗欠陥を検出している場合、暗欠陥用スイッチ回路14により、後述する暗欠陥用ローパス中間信号S8の信号レベルを第1ゲイン調整回路26により高め、この暗欠陥用ローパス中間信号S8を順次暗欠陥用スイッチ回路14を介して暗欠陥用フィルタ回路15に再度入力するようにしている。
【０１５５】
このとき、第1ゲイン調整回路26から出力される暗欠陥用ローパス中間信号S8の信号レベルが、予め設定しておいた上限値よりも高い場合は、
第1リミッタ回路27により、暗欠陥用ローパス中間信号S8の信号レベルを予め設定した上限値となるように調整して暗欠陥用スイッチ回路14に入力するようにしている。
【０１５６】
また、第1リミッタ回路に設定する上限値は、暗欠陥を検出していない期間のピークホールド信号S6の信号レベルの近傍であって、この暗欠陥を検出していない期間のピークホールド信号S6の信号レベルよりも低い値とするようにしている。
【０１５７】
暗欠陥用フィルタ回路15は、中間信号S7の高周波成分を除去することによって信号レベルの大きな変化を低減させた暗欠陥用ローパス中間信号S8を生成して暗欠陥用レベル調整回路17に入力する。
【０１５８】
このとき同時に、暗欠陥用ローパス中間信号S8をフィードバックして第1ゲイン調整回路26に入力する。
【０１５９】
暗欠陥用レベル調整回路17は、暗欠陥用フィルタ回路15から入力された暗欠陥用ローパス中間信号S8の信号レベルをピークホールド信号S6の信号レベルよりも低くなるように調整した暗欠陥用閾値信号S9（図6中に示すS9参照。）を生成して暗欠陥用比較回路18に入力する。
【０１６０】
暗欠陥用比較回路18は、ピークホールド信号S6の信号レベルと、暗欠陥用閾値信号S9の信号レベルとを比較して、ピークホールド信号S6の信号レベルと暗欠陥用閾値信号S9の信号レベルとが反転している期間「H」レベルとなる暗ディフェクト信号S10を生成して論理和演算回路13に入力する。
【０１６１】
このとき、暗欠陥用比較回路18は、暗ディフェクト信号S10をフィードバックして暗欠陥用スイッチ回路14に入力する。
【０１６２】
そして、暗欠陥用スイッチ回路14は、このとき入力される暗ディフェクト信号S10に基づいて、暗欠陥用フィルタ回路15に入力する信号の切換えを行うようにしている。
【０１６３】
つまり、暗欠陥用スイッチ回路14は、暗欠陥の検出を開始した時点、すなわち、ピークホールド信号S6の信号レベルと暗欠陥用閾値信号S9の信号レベルとが反転することによって、ピークホールド信号S6の信号レベルが暗欠陥用閾値信号S9の信号レベルよりも低くなり、暗ディフェクト信号S10が「L」レベルから「H」レベルに切り替わった時点で、暗欠陥用フィルタ回路15に入力する信号を、中間信号S7から暗欠陥用ローパス中間信号S8に切り替えるようにしている。
【０１６４】
これにより、暗欠陥用フィルタ回路15には、第1リミッタ回路27に設定した上限値を限度として、第1ゲイン調整回路26により信号レベルを高められた暗欠陥用ローパス中間信号S8が順次入力されることとなり、その結果、暗ディフェクト信号S10が「H」レベルの期間に、暗欠陥用レベル調整回路17の出力信号である暗欠陥用閾値信号S9の信号レベルは、ピークホールド信号S6の信号レベルと暗欠陥用閾値信号S9の信号レベルとが反転した時点の暗欠陥用閾値信号S9の信号レベル（第1の閾値信号の信号レベル）から徐々に高くなる（図6中に実線で示すS9参照。）。
【０１６５】
こうすることによって、暗欠陥検出回路11が暗欠陥を検出するのとほぼ同時に暗欠陥用閾値信号S9の信号レベルの調整を開始することができるようにしている。
【０１６６】
また、暗欠陥用スイッチ回路14は、暗欠陥の検出を終了した時点、すなわち、ピークホールド信号S6の信号レベルと暗欠陥用閾値信号S9の信号レベルとが再度反転することによって暗ディフェクト信号S10が「H」レベルから「L」レベルに切換わった時点で、暗欠陥用フィルタ回路15に入力する信号を、暗欠陥用ローパス中間信号S8から中間信号S7に切換えるようにしている。
【０１６７】
これにより、暗欠陥用フィルタ回路15に中間信号S7が入力され、この中間信号S7に基づいて暗欠陥用閾値信号S9の信号レベルが変化することになり、その結果、暗欠陥用閾値信号S9の信号レベルの調整が停止される。
【０１６８】
こうすることによって、暗欠陥検出回路11が暗欠陥の検出を終えるのとほぼ同時に暗欠陥用閾値信号S9の信号レベルの調整を停止するようにしている。
【０１６９】
一方、レベル減算回路31では、明欠陥を検出していない場合、明欠陥用スイッチ回路19により中間信号S7を明欠陥用フィルタ回路20に入力し、一方、明欠陥を検出している場合、明欠陥用スイッチ回路19により、後述する明欠陥用ローパス中間信号S11の信号レベルを第2ゲイン調整回路29により低め、この明欠陥用ローパス中間信号S11を順次明欠陥用スイッチ回路19を介して明欠陥用フィルタ回路20に再度入力するようにしている。
【０１７０】
このとき、第2ゲイン調整回路29から出力される明欠陥用ローパス中間信号S11の信号レベルが、予め設定しておいた下限値よりも高い場合は、
第2リミッタ回路30により、明欠陥用ローパス中間信号S11の信号レベルを予め設定した下限値となるように調整して明欠陥用スイッチ回路19に入力するようにしている。
【０１７１】
また、第2リミッタ回路に設定する下限値は、明欠陥を検出していない期間のピークホールド信号S6の信号レベルの近傍であって、この明欠陥を検出していない期間のピークホールド信号S6の信号レベルよりも高い値とするようにしている。
【０１７２】
明欠陥用フィルタ回路20は、中間信号S7の高周波成分を除去することによって信号レベルの大きな変化を低減させた明欠陥用ローパス中間信号S11を生成して明欠陥用レベル調整回路22に入力する。
【０１７３】
このとき同時に、明欠陥用ローパス中間信号S11をフィードバックして第2ゲイン調整回路29に入力する。
【０１７４】
明欠陥用レベル調整回路22は、明欠陥用フィルタ回路20から入力された明欠陥用ローパス中間信号S11の信号レベルをピークホールド信号S6の信号レベルよりも高くなるように調整した明欠陥用閾値信号S12（図6中に示すS12参照。）を生成して明欠陥用比較回路23に入力する。
【０１７５】
明欠陥用比較回路23は、ピークホールド信号S6の信号レベルと、明欠陥用閾値信号S12の信号レベルとを比較して、ピークホールド信号S6の信号レベルと明欠陥用閾値信号S12の信号レベルとが反転している期間「H」レベルとなる明ディフェクト信号S13を生成して論理和演算回路13に入力する。
【０１７６】
このとき、明欠陥用比較回路23は、明ディフェクト信号S13をフィードバックして明欠陥用スイッチ回路19に入力する。
【０１７７】
そして、明欠陥用スイッチ回路19は、このとき入力される明ディフェクト信号S13に基づいて、明欠陥用フィルタ回路20に入力する信号の切換えを行うようにしている。
【０１７８】
つまり、明欠陥用スイッチ回路19は、明欠陥の検出を開始した時点、すなわち、ピークホールド信号S6の信号レベルと明欠陥用閾値信号S12の信号レベルとが反転することによって、ピークホールド信号S6の信号レベルが明欠陥用閾値信号S12の信号レベルよりも高くなり、明ディフェクト信号S13が「L」レベルから「H」レベルに切り替わった時点で、明欠陥用フィルタ回路20に入力する信号を、中間信号S7から明欠陥用ローパス中間信号S11に切り替えるようにしている。
【０１７９】
これにより、明欠陥用フィルタ回路20には、第2リミッタ回路30に設定した下限値を限度に、第2ゲイン調整回路29により信号レベルを低められた明欠陥用ローパス中間信号S11が順次入力されることとなり、その結果、明ディフェクト信号S13が「H」レベルの期間に、明欠陥用レベル調整回路23の出力信号である明欠陥用閾値信号S12の信号レベルは、ピークホールド信号S6の信号レベルと明欠陥用閾値信号S12の信号レベルとが反転した時点の明欠陥用閾値信号S12の信号レベル（第2の閾値信号の信号レベル）から徐々に低くなる（図6中に実線で示すS12参照。）。
こうすることによって、暗欠陥検出回路11が暗欠陥を検出するのとほぼ同時に明欠陥用閾値信号S12の信号レベルの調整を開始することができるようにしている。
【０１８０】
また、明欠陥用スイッチ回路19は、明欠陥の検出を終了した時点、すなわち、ピークホールド信号S6の信号レベルと明欠陥用閾値信号S12の信号レベルとが再度反転することによって明ディフェクト信号S13が「H」レベルから「L」レベルに切換わった時点で、明欠陥用フィルタ回路20に入力する信号を、明欠陥用ローパス中間信号S11から中間信号S7に切換えるようにしている。
【０１８１】
これにより、明欠陥用フィルタ回路20に中間信号S7が入力され、この中間信号S7に基づいて明欠陥用閾値信号S12の信号レベルが変化することになり、その結果、明欠陥用閾値信号S12の信号レベルの調整が停止される。
【０１８２】
こうすることによって、明欠陥検出回路12が暗欠陥の検出を終えるのとほぼ同時に明欠陥用閾値信号S12の信号レベルの調整を停止するようにしている。
【０１８３】
論理和演算回路13は、明欠陥検出回路12から入力される暗ディフェクト信号S10と、明欠陥検出回路12から入力される明ディフェクト信号S13とのOR論理和を取ることによって、暗欠陥及び明欠陥を検出している間「H」レベルとなるディフェクト信号S4（図6参照）を生成してサーボ制御回路7に出力する。
【０１８４】
サーボ制御回路7は、論理和演算回路13から入力されたディフェクト信号S4が「H」レベルの間、光ピックアップ2のサーボの動作を停止させるサーボ制御信号S5を光ピックアップ2に出力して光ピックアップ2をサーボホールド状態とし、その後、ディフェクト信号S4が再び「L」レベルとなったときに、サーボホールド状態を解除するサーボ制御信号S5を光ピックアップ2に出力して、光ピックアップ2のサーボの動作を再開させる。
【０１８５】
このように、第2実施形態のディフェクト信号生成回路6’を内蔵した光ディスク再生装置1は、暗欠陥を検出している間、レベル加算回路28により暗欠陥用ローパス中間信号S8の信号レベルを高めることで、暗欠陥用閾値信S9の信号レベルを高める一方、明欠陥を検出している間、レベル減算回路31により明欠陥用ローパス中間信号S11の信号レベルを低めることで、明欠陥用閾値信号S12を低めるようにしている。
【０１８６】
そのため、暗欠陥検出時には、図7（a）に示すように、ピークホールド信号S6（図7（a）中の点線）の信号レベルと暗欠陥用閾値信号S9（図4（a）中の実線）の信号レベルとは、信号レベルの調整を行わない場合の暗欠用閾値信号（図7（a）中の一点鎖線）の信号の信号レベルとピークホールド信号S9の信号レベルとが反転する位置よりも、ピークホールド信号S6の暗欠陥を示す部分の終端近傍で反転することになり、暗欠陥が検出されなくなるのとほぼ同時に、ディフェクト信号S4を「H」レベルから「L」レベルにすることができる。
【０１８７】
また、明欠陥の検出時には、図7（b）に示すように、ピークホールド信号S6（図7（a）中の点線）の信号レベルと明欠陥用閾値信号S12（図4（a）中の実線）の信号レベルとは、信号レベルの調整を行わない場合の明欠用閾値信号（図7（a）中の一点鎖線）の信号レベルとピークホールド信号S9の信号レベルとが反転する位置よりも、ピークホールド信号S6の明欠陥を示す部分の終端近傍で反転することになり、明欠陥が検出されなくなるのとほぼ同時に、ディフェクト信号S4を「H」レベルから「L」レベルにすることができる。
【０１８８】
これにより、ディフェクト信号生成回路6’は、光ディスク8上の暗欠陥及び明欠陥を検出しなくなるのとほぼ同時にサーボホールド状態を解除するディフェクト信号S4をサーボ制御回路7に入力することができる。
【０１８９】
そのため、サーボホールド状態を解除した際に、サーボを安定して制御することができ、光ディスク8に記録させたデータを正確に再生することができる。
【０１９０】
また、このディフェクト信号生成回路6’は、比較的長時間にわたる暗欠陥を検出した場合であっても、第1リミッタ回路により暗欠陥用ローパス中間信号S8の信号レベルが予め設定した上限値を上回らないように調整を行うため、図8（a）に示すように、暗欠陥用閾値信号S9（図8（a）中の実線）は、ピークホールド信号S6（図8（a）中の一点鎖線）の暗欠陥を検出していない部分の信号レベルよりも高くなることがない。
【０１９１】
すなわち、暗欠陥用閾値信号S9の信号レベルは、常に正常時のピークホールド信号S6の信号レベルよりも高くなることがないので、暗欠陥用閾値信号S9の信号レベルを高めすぎることによる暗欠陥の誤検出を未然に防止することができる。
【０１９２】
また、比較的長時間にわたる明欠陥を検出した場合であっても、第2リミッタ回路により明欠陥用ローパス中間信号S11の信号レベルが予め設定した下限値を上回らないように調整を行うため、図8（b）に示すように明欠陥用閾値信号S12（図8（b）中の実線）は、ピークホールド信号S6（図8（b）中の一点鎖線）の明欠陥を検出していない部分の信号レベルよりも低くなることがない。
【０１９３】
すなわち、明欠陥用閾値信号S12の信号レベルは、常に正常時のピークホールド信号S6の信号レベルよりも低くなることがないので、暗欠陥用閾値信号S9の信号レベルを低めすぎることによる明欠陥の誤検出を未然に防止することができる。
【図面の簡単な説明】
【０１９４】
【図１】本発明に係る光ディスク再生装置を示す説明図である。
【図２】第1実施形態のディフェクト信号生成回路を示す説明図である。
【図３】第1実施形態のディフェクト信号を示すタイミングチャートである。
【図４】第1実施形態の欠陥検出時のディフェクト信号を示すタイミングチャートである。
【図５】第2実施形態のディフェクト信号生成回路を示す説明図である。
【図６】第2実施形態のディフェクト信号を示すタイミングチャートである。
【図７】第2実施形態の欠陥検出時のディフェクト信号を示すタイミングチャートである。
【図８】第2実施形態の欠陥検出時のディフェクト信号を示すタイミングチャートである。
【図９】従来のディフェクト信号生成回路を示す説明図である。
【図１０】従来のディフェクト信号を示す説明図である。
【図１１】従来の欠陥検出時のディフェクト信号を示す説明図である。
【符号の説明】
【０１９５】
１  光ディスク再生装置
２  光ピックアップ
３  RFアンプ
４  サーボ制御用アナログ/ディジタル変換器
５  欠陥検出用アナログ/ディジタル変換器
６  ディフェクト信号生成回路
７  サーボ制御回路
８  光ディスク
９  ピークホールド回路
１０  中間信号生成回路
１１  暗欠陥検出回路
１２  明欠陥検出回路
１３  論理和演算回路
１４  暗欠陥用スイッチ回路
１５  暗欠陥用フィルタ回路
１６  暗欠陥用信号レベル保持回路
１７  暗欠陥用レベル調整回路
１８  暗欠陥用比較回路
１９  明欠陥用スイッチ回路
２０  明欠陥用フィルタ回路
２１  明欠陥用信号レベル保持回路
２２  明欠陥用レベル調整回路
２３  明欠陥用比較回路
２６  第1ゲイン調整回路
２７  第1リミッタ回路
２８  レベル加算回路
２９  第2ゲイン調整回路
３０  第2リミッタ回路
３１  レベル減算回路
S1  アナログデータ信号
S2  RF増幅信号
S3  RF信号
S4  ディフェクト信号
S5  サーボ制御信号
S6  ピークホールド信号
S7  中間信号
S8  暗欠陥用ローパス中間信号
S9  暗欠陥用閾値信号
S10  暗ディフェクト信号
S11  明欠陥用ローパス中間信号
S12  明欠陥用閾値信号
S13  明ディフェクト信号
【図１】
2005267836.tif 000003
【図２】
2005267836.tif 000004
【図３】
2005267836.tif 000005
【図４】
2005267836.tif 000006
【図５】
2005267836.tif 000007
【図６】
2005267836.tif 000008
【図７】
2005267836.tif 000009
【図８】
2005267836.tif 000010
【図９】
2005267836.tif 000011
【図１０】
2005267836.tif 000012
【図１１】
2005267836.tif 000013